(57)【特許請求の範囲】
【請求項１】
検眼用フレームに配置されているトライアルレンズの検眼情報を読み取るレンズ情報読取方法であって、トライアルレンズ毎に光学的又は電磁的に読み取り可能なレンズ度数の識別情報を設けるステップと、トライアルレンズ毎に設けた前記識別情報を光学的又は電磁的に検出する識別情報検出機構を設けるステップと、検眼用フレームに対する柱面レンズであるトライアルレンズの軸方向を検出するための軸方向検出機構を設けるステップであり、検眼用フレームに設けた基準角度マークに対して柱面レンズに設けた軸方向を示す柱面マークを光学的に検出するものか、検眼用フレームに対する柱面レンズの軸方向の位置を示すピンの位置を電気的に検出するものか、いずれかの軸方向検出機構を設けるステップと、前記識別情報検出機構によって検眼用フレームに配置された各トライアルレンズのレンズ度数の識別情報を検出し、前記軸方向検出機構によって検眼用フレームに対する柱面レンズであるトライアルレンズの軸方向を検出する検出ステップと、該検出ステップにより得られたトライアルレンズのレンズ度数の識別情報及び軸方向に基づいて検眼用フレームに配置されたトライアルレンズの検眼情報を出力する出力ステップと、を備えることを特徴とするレンズ情報読取方法。
【発明の詳細な説明】
【０００１】
【発明の属する技術分野】
本発明は、検眼用フレームに配置された検眼レンズの検眼度数情報を読み取るレンズ度数読取装置及びレンズ度数読取方法に関する。
【０００２】
【従来技術】
一般に、眼鏡店等において被検者が眼鏡製作を行う場合、他覚式、自覚式の検眼装置を用いて被検眼の視機能等を検査するが、最終的には被検者が装着した検査枠（検眼用フレーム）にトライアルレンズと呼ばれる検眼レンズを組み合わせて配置し、その見え具合により製作する眼鏡レンズの検眼度数（球面度数、柱面度数、柱面軸角度）を決定している。こうして決定された検眼度数は、検者が検査枠に配置されたトライアルレンズを個々に目視で読み取り、その読み取り結果をカルテ等へ記入して管理していた。
【０００３】
【発明が解決しようとする課題】
しかしながら、検査枠には左右それぞれに複数枚のトライアルレンズが配置されるため、これを目視で確認して検眼度数を読み取り、その検眼度数をカルテ等へ記入することは手間が掛かると共に、誤認やカルテへの転記ミス等が生じやすい。
【０００４】
また、近年では検眼情報をコンピュータにより管理することが多く行われており、この際にも一度カルテに記載したデータをコンピュータに入力するということは手間であり、入力ミスも発生しやすい。
【０００５】
本発明は上記従来技術に鑑み、検査枠に配置された検眼レンズの度数情報が容易に得られ、また度数情報の記載や入力の手間を省き、手作業によるミスを防止することができるレンズ度数読取装置及びレンズ度数読取方法を提供することを技術課題とする。
【０００６】
【課題を解決するための手段】
上記課題を解決するために、本発明は以下のような構成を備えることを特徴とする。
【０００７】
（１）  検眼用フレームに配置されているトライアルレンズの検眼情報を読み取るレンズ情報読取方法であって、トライアルレンズ毎に光学的又は電磁的に読み取り可能なレンズ度数の識別情報を設けるステップと、トライアルレンズ毎に設けた前記識別情報を光学的又は電磁的に検出する識別情報検出機構を設けるステップと、検眼用フレームに対する柱面レンズであるトライアルレンズの軸方向を検出するための軸方向検出機構を設けるステップであり、検眼用フレームに設けた基準角度マークに対して柱面レンズに設けた軸方向を示す柱面マークを光学的に検出するものか、検眼用フレームに対する柱面レンズの軸方向の位置を示すピンの位置を電気的に検出するものか、いずれかの軸方向検出機構を設けるステップと、前記識別情報検出機構によって検眼用フレームに配置された各トライアルレンズのレンズ度数の識別情報を検出し、前記軸方向検出機構によって検眼用フレームに対する柱面レンズであるトライアルレンズの軸方向を検出する検出ステップと、該検出ステップにより得られたトライアルレンズのレンズ度数の識別情報及び軸方向に基づいて検眼用フレームに配置されたトライアルレンズの検眼情報を出力する出力ステップと、を備えることを特徴とする。
【００１５】
【発明の実施の形態】
以下、本発明の一実施形態について図面を基に説明する。本発明に係る装置の説明に先立ち、被検者が装着する検査枠の構成とトライアルレンズについて説明する。
【００１６】
図１（ａ）は検査枠の外観斜視図、図１（ｂ）は検査枠のリム部を上方から見たときの模式図である。
【００１７】
検査枠１はリム部２（左眼用リム２Ｌ，右眼用リム２Ｒ）、ブリッジ部３、鼻当て部４、テンプル部５から構成される。左眼用リム２Ｌ及び右眼用リム２Ｒの各々には、下方にレンズ受け１１ａ及び１１ｂが、リム内側（鼻当て側）上方にはバネ受け１２が設けられている。バネ受け１２はその下端がリム部２に固定されており、トライアルレンズを押さえる方向の付勢力が与えられているため、レンズ受け１１ａ，１１ｂ及びバネ受け１２によってトライアルレンズは脱落することなく保持される。レンズ受け１１ａ，１１ｂ及びバネ受け１２によってリム部２には、図１（ｂ）に示すように、３枚のトライアルレンズが載置可能になっており、通常、手前側の設置位置１３ｃには柱面レンズ２１が配置される。設置位置１３ａ，１３ｂには異なる度数の球面レンズ２０ａ、２０ｂが配置される。
【００１８】
ここで、球面レンズの配置について説明する。検査枠１を使用して球面度数を処方する場合、必要とする球面度数のレンズを全て用意することは、その数が多く必要とされるので大変である。このため、トライアルレンズでは２枚の異なる度数の球面レンズを組み合わせることで、必要とする球面度数を作り出すように構成されている。
【００１９】
例えば、０．２５Ｄ（ディオプタ）ステップで球面度数の処方を可能としたトライアルレンズでは、プラス側及びマイナス側の両者ともに、０．２５Ｄ〜５．５０Ｄまでは０．２５Ｄステップ毎に、５．５０Ｄ〜７．０Ｄまでは０．５０Ｄステップ毎に、７．０Ｄ〜１４．０Ｄまでは１．０Ｄステップ毎に、１４．０Ｄ〜２０．０Ｄまでは２．０Ｄステップ毎に、計３５種類のレンズが用意されている。０．２５Ｄステップでの球面度数の処方に当たっては、５．５０Ｄまでは１枚のレンズで対応可能であるが、それ以上の度数でレンズが用意されていないものについては弱度レンズを組み合わせて作る。つまり、強度の検眼処方においては、５．５０Ｄ以下のレンズとの組み合わせで２５．５０Ｄまでの範囲で、０．２５Ｄステップでの検眼処方を行うことができる。本明細書では、０．２５Ｄ〜５．５０Ｄまでの球面レンズを弱度の球面レンズ２０ａとして、６．０Ｄ〜２０．０の球面レンズを強度の球面レンズ２０ｂとして説明する。
【００２０】
図２は検査枠１に配置されるトライアルレンズの外観を示したものであり、図２（ａ）は球面レンズの例、図２（ｂ）は柱面レンズの例を示している。
【００２１】
弱度球面レンズ２０ａ、強度球面レンズ２０ｂには、それぞれレンズ枠を介して保持ツマミ２２ａ，２２ｂが設けられており、保持ツマミ２２ａ，２２ｂにはレンズ度数を示す度数表示２３ａ，２３ｂが付されている。度数表示２３ａ，２３ｂには、レンズ識別情報として球面レンズを示す「Ｓ」、「＋」又は「−」、及び度数（ディオプター）を示す数字が付されている。
【００２２】
図２（ｂ）に示す柱面レンズ２１には、球面レンズと同様に、レンズ度数情報を示す度数表示２３ｃが付された保持ツマミ２２ｃが設けられている。度数表示２３ｃには、レンズ識別情報として柱面レンズを示す「Ｃ」、「＋」又は「−」、及び度数（ディオプター）を示す数字が付されている。本実施形態の柱面レンズ２１は、０．２５Ｄステップで０．２５Ｄ〜３．００Ｄまでの柱面度数（プラス度数及びマイナス度数の両方）を持つものが用意されている。
【００２３】
また、柱面レンズ２１のレンズ面２４には柱面軸の方向を示すドット状のマーク２５が周辺部に２ヶ所施されている。なお、保持ツマミ２２ｃは柱面軸の方向（２つのマーク２５を結んだ方向）に対して約４５度の角度の位置に施されている。
【００２４】
図３は本発明に係るレンズ度数読取装置の光学系及び制御系の要部構成を示す図である。レンズ度数読取装置１００はカメラ部３０と検査枠１を所定位置に置くための載置台３４を備える。載置台３４上にはガイド部３５が設けられており、検査枠１のリム下端をガイド部３５に合わせることで、検査枠１はカメラ部３０に正対した状態で、所定距離に置かれる。
【００２５】
カメラ部３０はＣＣＤカメラ３１、広角レンズ群３２から構成され、検査枠１の左右リム２Ｌ，２Ｒに配置されたトライアルレンズが同時にＣＣＤカメラ３１によって撮像される。
【００２６】
ＣＣＤカメラ３１により得られた画像はメモリ４３に記憶される。制御部４０は撮像画像を基に保持ツマミ２２ａ〜２２ｃに施された各度数表示２３ａ〜２３ｃや柱面軸のマーク２５等を抽出し、その抽出情報から検査枠１に配置されたトライアルレンズの度数情報を得る。制御部４０には検眼情報を表示する表示部４４、スイッチ部４５、プリンタ部４６が接続されている。また、データ管理用コンピュータ５０と接続され、検眼情報を出力（転送）する。
【００２７】
次に、以上のような構成を備えるレンズ度数読取装置において、その動作を説明する（図４のレンズ度数認識のフローチャート図を参照）。
【００２８】
検者は被検者が装着した検査枠１に各種のトライアルレンズを配置して処方度数を決定した後、被検者から検査枠１を外し、これをレンズ度数読取装置１００のガイド部３５に沿って載置台３４に配置する。このとき、弱度球面レンズ２０ａ、強度球面レンズ２０ｂ、柱面レンズ２１の各保持ツマミ２２ａ〜２２ｃ（度数表示２３ａ〜２３ｃ）が重ならないように、検者は球面レンズ２０ａ，２０ｂの保持ツマミ２２ａ，２２ｂを予めずらしておく。
【００２９】
その後、スイッチ部４５の測定スイッチ４５ａを押すと、測定信号に応じて制御部４０はＣＣＤカメラ３１に撮像された画像をメモリ４３に一時的に記憶させ、撮像した画像を基に各度数表示２３ａ〜２３ｃの抽出作業を行う。抽出された度数表示２３ａ〜２３ｃはそれぞれに施されたトライアルレンズのレンズ度数情報を表しているため、制御部４０は抽出した各度数表示２３ａ〜２３ｃを基に公知のＯＣＲ（光学式文字読取）技術を用いて度数表示２３に含まれる各レンズ度数情報を認識し、これらから検査枠１に配置されたトライアルレンズによる球面度数情報（弱度球面レンズの度数と強度球面レンズの度数の和）及び柱面度数情報（柱面レンズの度数）を得る。
【００３０】
また、柱面（乱視）軸角度については、軸表示の２つのマーク２５を抽出し、２点を繋ぐ方向が載置台３４（ＣＣＤカメラ３１）に対して何度の角度であるかを求めることで得ることができる。
【００３１】
柱面軸角度の検出については、次のように行うこともできる。図５に示すように、検査枠１のリム部２に角度の基準位置を示すマーク２６を施しておく。ＣＣＤカメラ３１により撮像された画像から、マーク２５と同時にマーク２６も抽出する。そして、マーク２６を繋ぐ直線Ｌを基準線とし、マーク２５の２点を結ぶ直線Ｃが基準線Ｌに対してどの程度傾いているかを検出することで、柱面レンズ２１で処方された乱視軸角度を得ることができる。この方法の場合には、検査枠１に左右方向の傾きがあったとしても、正確な柱面軸を求めることができる。
【００３２】
このように、検査枠１に基準角度方向を示すマーク２６を施すことで、被検者が検査枠１をはめた状態のままでもレンズ度数の読み取りが可能な、手持タイプのレンズ度数読取装置を構成することができる。
【００３３】
以上説明した度数表示２３及びマーク２５（マーク２６）の抽出処理は、検査枠１の左右眼で区別されて行われ、左右眼毎に検眼情報が得られる。ＣＣＤカメラ３１で得られる画像は、左右眼で各々処方された両方のトライアルレンズを含むものであるが、画像を左右に区別することで、容易に左右眼毎に分けた情報が得られる。これにより検者が左右眼を誤認することを防止できる。
【００３４】
検査枠１に配置されたトライアルレンズの検眼情報（球面度数、柱面度数及び柱面軸角度）が制御部４０によって得られると、各情報が左右眼別に表示部４４に表示される。各保持ツマミ２２ａ〜２２ｃ（度数表示２３ａ〜２３ｃ）が重なっている場合など、左右眼の各々で３つの各レンズの度数表示２３ａ〜２３ｃとマーク２５を制御部４０が検出できなかった場合は、表示部４４に警告メッセージを表示させ、検者に報知する。検者は検査枠１に配置されているトライアルレンズが３枚の場合は、保持ツマミ２３が重ならないように配置し直した後、再測定を行う。配置されているトライアルレンズが２枚以下の場合は、検者は表示結果が配置してあるレンズの枚数と一致することを確認した後、警告解除の操作を行う。
【００３５】
以上のようにして得られた検眼情報は、スイッチ部４５の印刷スイッチ４５ｂを押すことによりプリンタ部４６より印字出力され、転送スイッチ４５ｃを押すことによりケーブル等で接続された顧客管理用コンピュータ５０のデータベースへ転送出力される。これにより、検査枠１に配置されたトライアルレンズのレンズ度数を検者が一々確認し、これをカルテ等に記入することなく、検眼情報を印字出力した結果として得ることができ、また、コンピュータ５０への入力も簡単に行える。
【００３６】
以上の説明では、各保持ツマミ２２に施した度数表示２３を抽出し、ＯＣＲ技術を用いて読み取るようにしたが、これらのレンズ度数情報を含んだバーコード等の識別記号を度数表示２３の代わりに利用してもよい。
【００３７】
また、ＣＣＤカメラ３１にカラー撮像ができるものを利用し、レンズ情報を保持ツマミ２２及び度数表示２３に色情報として含ませることで、度数表示２３に表記する記号を少なくし、識別を容易にすることができる。例えば、度数表示２３にはレンズ度数を示す数字のみを記載し、レンズ種別は数字の色（球面レンズは赤、柱面レンズは黒）で、プラス又はマイナス度数は保持ツマミ２２の色（プラス度数は金、マイナス度数は銀）で区別し、識別する。
【００３８】
これらの度数表示２３やバーコード等の識別記号は、保持ツマミ２２に施されるばかりでなく、レンズ面に施こすことも可能である。また、これらの識別記号に代わって、情報を電磁波により送受信するＩＣチップとアンテナからなるＩＤタグ（ＩＣタグ）を利用することも可能である。さらに、柱面軸角度については自動レンズメータの測定光学系を用いて検出することができる。
【００３９】
図６はＩＤタグと自動レンズメータの測定光学系を適用したレンズ度数読取装置の概略構成を示す図である。検査枠１を枠受け部６８に当接させた状態で、検査枠１に配置されたトライアルレンズをノーズピース６１に載置する。順次点灯制御される４つの測定光源６２を発した光束は、コンデンサレンズ６３を介して測定指標６４を個別に照明し、その光束はコリメーティングレンズ６５、トライアルレンズ群を通過した後、結像レンズ６６を介して２次元ＣＣＤ６７により受光される。柱面レンズを介した指標光束は主経線と直交する方向に屈折力が働くので、制御部６０はＣＣＤ６７に形成される指標光束像の位置を基に所定の演算を行って柱面軸角度を得る。
【００４０】
また、各トライアルレンズの保持ツマミには各レンズの度数情報が記憶されたＩＣタグ７０が設けられており、これをアンテナモジュール６９で検出する。アンテナモジュール６９は励振アンテナとセンスアンテナからなり、励振アンテナでＩＣタグ７０を励振することでＩＣタグからレンズ度数情報が電磁波として送信される。センスアンテナがこのレンズ度数情報を受信することで、制御部６０は検査枠１に配置されたレンズ度数を得ることができる。
【００４１】
アンテナモジュール６９の感度領域はノーズピース６１上に配置されたトライアルレンズ部分のみであり、他眼のレンズは感度領域外になるので、左右眼のトライアルレンズ情報が交わることなく、片眼のデータのみを得ることができる。他方のレンズ度数情報を得る時は、他眼のトライアルレンズ部分をノーズピース６１上に配置することで、レンズ度数及び柱面軸角度を得ることができる。もちろん両眼同時測定できるように、これらの構成を２組用意しておいても良い。
【００４２】
図７は柱面視軸角度を電気的に検出する構成の例である。柱面レンズ２１のレンズ枠には柱面軸角度方向に金属ピン５０を設けておき、レンズ度数読取装置１００のガイド部３５には金属ピン５０と接触する端子部５１が設けられており、各端子は軸角度方向に対応させて複数個設けておく。端子部５１の各端子は金属ピン５０に常に２つの端子が接触するように配置されている。載置台３４に検査枠１が載置され、トリガ信号が発信されると、制御部４０は順に各端子に電気を流し、隣り合う端子同士で通電するかを検出する。金属ピン５０が接触している２つの端子では通電するが、それ以外の端子では通電しないため、通電した端子の位置情報に応じて金属ピン５０の位置を検知し、柱面軸角度として識別することができる。
【００４３】
あるいは、レンズ周縁部５２を導電性の金属で構成し、周縁部５２に接触する接触子５３を端子部５１とは離れた位置に設ける。この際、金属ピン５０は端子部５１の各端子の１つと接触するように配置し、接触子５３から電気を流すことで、周縁部５２、金属ピン５１を介して端子部５１の端子に通電する。制御部は、通電した端子の位置情報に応じて柱面軸角度を得ることができる。また、端子部５１を可変抵抗器に置き換え、電気抵抗値の変化に応じて金属ピン５０の位置を検出することも可能である。
【００４４】
以上説明したように、本発明は実施形態として挙げた例以外にも多くの変容形態を案出することが可能であり、技術思想を同じくする内容については本発明に包含されるものである。
【００４５】
【発明の効果】
以上説明したように、本発明によれば、検査枠に配置されたトライアルレンズの度数情報を容易に得ることができ、検者の負担を軽減することができる。また、度数情報の記録に際して手作業によるミスを防止することができる。
【図面の簡単な説明】
【図１】検査枠の外観斜視図及びレンズ受け部分の説明図である。
【図２】トライアルレンズの外観略図である。
【図３】レンズ読取装置の光学系及び制御系要部図である。
【図４】レンズ度数読取のフローチャート図である。
【図５】トライアルレンズが挿入された検査枠の状態を示す説明図である。
【図６】ＩＤタグと自動レンズメータの測定光学系を適用した変容例を示す図である。
【図７】乱視軸角度を電気的に検出するための変容例を示す図である。
【符号の説明】
１  検査枠
２０ａ，２０ｂ  球面レンズ
２１  柱面レンズ
２２ａ，２２ｂ，２２ｃ  保持ツマミ
２３ａ，２３ｂ，２３ｃ  度数表示
２５  軸表示マーク
２６  基準位置マーク
３０  カメラ部
３５  ガイド部
４０  制御部
４４  表示部
５０  金属ピン
５１  端子部
【図１】
0003848505.tif 000002
【図２】
0003848505.tif 000003
【図３】
0003848505.tif 000004
【図４】
0003848505.tif 000005
【図５】
0003848505.tif 000006
【図６】
0003848505.tif 000007
【図７】
0003848505.tif 000008